(57)【特許請求の範囲】
【請求項１】
透明性を有するプラスチックシートを屈曲することにより、前後壁（５），（６）、天壁（７）及び底壁（８）を備え且つ両側が開口された包装ケース（２）が形成され、該包装ケース（２）内に被包装物（１０）が収容された包装体において、前記被包装物（１０）の上面は凸状に形成され、しかも、前記天壁（７）及び底壁（８）間の距離（Ｌ１）は、被包装物（１０）の高さ（Ｌ２）よりも小さく設定されて、被包装物（１０）が天壁（７）及び底壁（８）により上下に押圧挟持されていることを特徴とする包装体。
【請求項２】
前記天壁（７）の前後方向の幅長（Ｅ）は、被包装物（１０）の上面の径（Ｄ）よりも小さく設定され、前記前後壁（５），（６）と天壁（７）の屈曲部には、開口（１５）が形成され、該開口（１５）から被包装物（１０）上端縁部が突出する構成である請求項１に記載の包装体。
【請求項３】
前記被包装物（１０）の天面は円形に形成され、しかも、前後壁（５），（６）と天壁（７）の折り目（ａ），（ｂ）から前後壁（５），（６）側に円弧状の切込み（１８）を形成することにより、天壁（７）には前後方向に突出する突出部（２０）と前記開口（１５）がそれぞれ形成され、突出部（２０）及び天壁（７）により被包装物（１０）の天面を被覆するようにした請求項２に記載の包装体。
【請求項４】
被包装物（１０）の最大外径（Ｂ）は、該最大外径（Ｂ）の部分が接触する包装ケース（２）の部分における前後幅（Ａ）よりも大きく設定されて、被包装物（１０）が前後壁（５），（６）により前後にも押圧挟持されている請求項１に記載の包装体。
【発明の詳細な説明】
【０００１】
【発明の属する技術分野】
本発明は、例えば化粧品等の商品を収容して展示しながら販売し得る包装体に関する。
【０００２】
【従来の技術】
従来、化粧品等の商品は、販売時におけるディスプレイ性を考慮して透明のプラスチックシートを屈曲することにより形成された包装ケース内に収容されている。そして、この種の包装ケースは、前後壁、天壁及び底壁を備え且つ両側が開口されたスリーブ状のものである。
【０００３】
【発明が解決しようとする課題】
前記従来の包装ケースは、その両側が開口されているため、商品を包装ケースの一方の開口から収容して包装する場合や、商品が包装ケースで包装されてなる包装体を取り扱う場合に、商品が包装ケースから容易に飛び出したり、脱落したりする欠点があった。
【０００４】
そこで、包装ケースの一部を切り込むことによりストッパー片を屈曲形成し、該ストッパー片を商品の両側に位置させて商品を保持する手段が採用される場合もある。かかる手段は、ストッパー片が弾性力により、屈曲前の状態に復元してしまうおそれがあり、ストッパー片の屈曲状態を維持しておくことは困難であり、十分な効果を期待することはできない。
【０００５】
本発明は、上記従来の問題点に鑑みてなされたもので、スリーブ状の包装ケースから被包装物が不用意に飛び出したり、あるいは、脱落したりするのを防止することを課題とする。
【０００６】
【課題を解決するための手段】
本発明は、上記課題を解決するために包装体としてなされたもである。包装体としての技術的手段は、透明性を有するプラスチックシートを屈曲することにより、前後壁５，６、天壁７及び底壁８を備え且つ両側が開口された包装ケース２が形成され、該包装ケース２内に被包装物１０が収容された包装体において、前記被包装物１０の上面は凸状に形成され、しかも、前記天壁７及び底壁８間の距離Ｌ１は、被包装物１０の高さＬ２よりも小さく設定されて、被包装物１０が天壁７及び底壁８により上下に押圧挟持されていることにある。
【０００７】
そして、被包装物１０を包装ケース２で包装した際に、天壁７及び底壁８には、前後壁５，６を伸長しようとする反力により、被包装物１０の上下面を押圧し、天壁７及び底壁８により被包装物１０を挟持した状態となる。このとき、天壁７は、被包装物１０の上面形状が凸状となっていることから湾曲し、被包装物１０の上部が天壁７からずれるのを防止する。また、被包装物１０の底面は安定性良く底壁８に押圧されることから、被包装物１０は包装ケース２に確実に保持される。
尚、被包装物１０の底面とは、面一な形状は無論、環状の凸部や中央に凹部等を有する場合も含む。
【０００８】
更に、前記天壁７の前後方向の幅長Ｅは、被包装物１０の上面の径Ｄよりも小さく設定され、前記前後壁５，６と天壁７の屈曲部には、開口１５が形成され、該開口１５から被包装物１０上端縁部が突出する構成であるのが好ましい。かかる構成により、被包装物１０の上部をより確実に保持することが可能となる。
尚、被包装物１０の上面の径Ｄとは、円形以外に楕円や多角形等の任意の形状も含み、天壁７の前後方向の距離を意味する。
【０００９】
前記被包装物１０の天面は円形に形成され、前後壁５，６と天壁７の折り目ａ，ｂから前後壁５，６側に円弧状の切込み１８を形成することにより、天壁７には前後方向に突出する突出部２０と前記開口１５がそれぞれ形成され、突出部２０及び天壁７により被包装物１０の天面を被覆するようにしたことにある。
【００１０】
また、被包装物１０の最大外径Ｂは、該最大外径Ｂの部分が接触する包装ケース２の部分における前後幅Ａよりも大きく設定されて、被包装物１０が前後壁５，６により前後にも押圧挟持されていることが好ましい。
【００１２】
【発明の実施の形態】
以下、本発明の袋状容器の実施の形態について図面を参酌しつつ説明する。
図１〜図５は本発明の第一実施の形態を示し、本実施形態における包装体は、一枚の帯状の透明なプラスチックシート３から構成された包装ケース２と、該ケース２内に収容される被包装物としての容器１０とからなる。尚、ここで、プラスチックシート３の透明とは、容器１０を透視可能な程度の半透明も含む。プラスチックシート３としては、例えば、厚さ０．１〜０．５ｍｍのポリエステルやポリプロピレン、ポリ塩化ビニル製のシートが使用できる。
【００１３】
前記包装ケース２は、前後壁５，６と天壁７と底壁８とから構成されている。即ち、前記プラスチックシート３は、例えば図４に示す如く、一方側から後壁６、天壁７、前壁５、底壁８及び重ね合わせ部９が順次折り曲げ罫線が施された折り目ａ，ｂ，ｃ，ｄを介して延設されている。そして、前記後壁６の外面又は内面に前記重ね合わせ部９が接着され、ここに、左右両側が開口されたスリーブ状のケース２が構成される。
【００１４】
前記容器１０は、例えば化粧水が充填された容器本体１１と、該容器本体１１の口部に着脱自在に螺合されたキャップ１３とからなる。該キャップ１３の天面は、凸状の球面１４となっている。また、容器本体１１の底面１１ａは円形状を呈している。
【００１５】
また、図５に示す如く、前記ケース２の高さ（底壁８及び天壁７の互いの内面間の距離）Ｌ１は、容器１０の高さ（容器本体１１の底面からキャップ２の天面までの距離）Ｌ２よりも若干低く（小さく）設定されている。ケース２の天壁７の前後方向の幅長（折り目ａと折り目ｂとの間隔）Ｅは、キャップ２の最大直径Ｄよりも小さく設定されている。また、容器本体１１の最大外径Ｂは、該最大外径Ｂの部分が接触するケース２の幅Ａよりも大きく設定するのが好ましい。
【００１６】
前記前後壁５，６と天壁７の間のそれぞれの折り目ａ，ｂを両端とする切込み１８が、前後壁５，６側に円弧状となるように形成されている。各切込み１８を形成することにより、天壁７にはその前後方向に突出する突出部２０がそれぞれ形成され、しかも、前後壁５，６の上縁部には、前記キャップ２の上端縁部を突出するための開口１５が形成されている。尚、該突出部２０は、天壁７と共にキャップ１３の天面全体を覆う大きさとするのが好ましい。
【００１７】
上記構成からなる包装体は、容器１０をケース２の一方側の開口から内部に嵌入するか、あるいは、容器１０にプラスチックシート３を巻き付けるようにして収納ケース２を形成する。ここで、ケース２の高さＬ１は、容器１０の高さＬ２よりも、低く設定されていることから、容器１０はケース２の天壁７と底壁８とを上下方向に離間させようとするため、ケース２には伸長させようとする力が作用する。キャップ１３の天面は凸状の球面であるため、天壁７はキャップ１３の天面形状に沿うように湾曲し、容器１０は天壁７と底壁８とで挟持される。
【００１８】
しかも、容器本体１１の最大外径Ｂは、該最大外径Ｂの部分が接触する包装ケース２の幅Ａよりも大きく設定されていることから、容器本体１１は前後壁５，６を離間させさる方向に湾曲させるため、前後壁５，６で容器１０は挟持されることとなる。
【００１９】
また、前記開口１５内に、キャップ１３の上端縁部が係合することとなり、キャップ１３をずれることなく固定することができる。しかも、上記の如く容器本体１１の底面は底壁８に押圧されているため、容器１０の安定性が良く、包装ケース２は容器１０を確実に保持する。
【００２０】
図６及び図７は本発明の第二実施の形態を示し、前記プラスチックシート３の他端側を延設することにより、立上り片２２と保持片２３を形成したものである。立上り片２２は折り目ｅを介して底壁８から延設され、且つ、保持片２３は折り目ｆを介して立上り片２２から延設されている。保持片２３には嵌入用切欠２７が形成されている。
【００２１】
また、前記キャップ１３の下端と容器本体１１との間には、若干の間隙２８が形成されている。
そして、立上り片２２を後壁６の内面に沿うように屈曲させて接着し、更に、保持片２３を前方に屈曲させ、容器１０の間隙２８に保持片２３の嵌入用切欠２７を嵌合させる。従って、容器１０は、前記実施の形態と同様に包装ケース２を伸長させる反力で保持されると共に、保持片２３により両側から支持されるため、より強固に包装ケース２に保持されることとなる。
【００２２】
図８及び図９は本発明の第三実施の形態を示し、前記プラスチックシート３の他端側を延設することにより、天壁７よりも上方に突出する突出部３０が設けられている。
【００２３】
突出部３０の表面には、ラベル３１が適宜貼着されている。また、前後壁５，６と底壁８の屈曲部にも開口３３、３４がそれぞれ形成されている。かかる開口３３，３４は前記折り目ｃ及び折り目ｅを両端とする切込み３５，３６を形成することにより設けられている。そして、容器１０は、キャップ１３が前記開口１５に係合するとともに、容器本体１１の底部の周部が、開口３３，３４に係合するため、容器１０は包装ケース２により確実に保持される。
【００２４】
本発明は、上記のそれぞの実施の形態に限定されるものではなく、被包装物は化粧品用の容器以外であっても良いことは無論であり、その形状も特に限定されるものではない。
また、キャップ１３の上面の形状は、球面状以外に中央部分が突出する突起を上方に突設した構成であっても良く、凸状の形状は特に限定されるものではない。
しかも、図１に仮想線で示す如く天壁７側も切り込むことにより、前後壁５及び天壁７にわたって開口１５を設けることも可能である。
【００２５】
【発明の効果】
以上のように本発明の包装体は、被包装物の上面は凸状に形成され、しかも、前記天壁及び底壁間の距離は、被包装物の高さよりも小さく設定されているので、被包装物により天壁と底壁とを離間させる方向の力が作用し、天壁は容器の天面により湾曲されることとなり、包装ケースで被包装物を確実に保持することが可能となる。従って、スリーブ状の包装ケースから被包装物が不用意に飛び出したり、あるいは、脱落したりするのを防止できる。
【図面の簡単な説明】
【図１】本発明の第一実施の形態を示す包装ケースの斜視図。
【図２】同包装体の全体側面図。
【図３】同包装体の全体斜視図。
【図４】同包装ケースの展開平面図。
【図５】（ａ）は包装ケースの側面図、（ｂ）は容器の側面図。
【図６】本発明の第二実施の形態を示し、（ａ）は包装体の一部破断を含む全体斜視図、（ｂ）は要部を示す正面図。
【図７】同包装ケースの展開平面図。
【図８】本発明の第三実施の形態を示す包装ケースの斜視図。
【図９】同（ａ）は底面図、（ｂ）要部を示す断面図。
【符号の説明】
２…包装ケース、５…前壁、６…後壁、７…天壁、８…底壁、１０…容器（被包装物）、１５…開口、２０…突出部、Ｌ１…天壁及び底壁間の距離、Ｌ２…被包装物の高さ、Ｄ…被包装物の上面の径、Ｅ…天壁の前後方向の幅長
【図１】
0004125828.tif 000002
【図２】
0004125828.tif 000003
【図３】
0004125828.tif 000004
【図４】
0004125828.tif 000005
【図５】
0004125828.tif 000006
【図６】
0004125828.tif 000007
【図７】
0004125828.tif 000008
【図８】
0004125828.tif 000009
【図９】
0004125828.tif 000010